(57)【要約】【課題】伝達対象の情報を視覚や聴覚によらずに伝達することと、情報を直感的に伝達することとを両立させる。【解決手段】情報伝達装置は、情報取得部と、波形生成部と、刺激電極とを備える。情報取得部は、伝達対象の情報を取得する。波形生成部は、情報取得部が情報を取得することに応じて、生体の生理現象に応じた所定の周期パターンの刺激波形を生成する。刺激電極は、波形生成部が生成する刺激波形に基づく刺激電流を装着者の皮膚に与える。【選択図】図１
2020067693.tif 000002
【特許請求の範囲】
【請求項１】
伝達対象の情報を取得する情報取得部と、
前記情報取得部が前記情報を取得することに応じて、生体の生理現象に応じた所定の周期パターンの刺激波形を生成する波形生成部と、
前記波形生成部が生成する前記刺激波形に基づく刺激電流を装着者の皮膚に与える刺激電極と、
を備える情報伝達装置。
【請求項２】
前記刺激波形とは、拍動に応じた波形である
請求項１に記載の情報伝達装置。
【請求項３】
前記刺激波形とは、加速度脈拍波波形に応じた波形である
請求項２に記載の情報伝達装置。
【請求項４】
前記波形生成部は、
前記刺激波形の周期を、前記情報取得部が取得する前記情報が示す装着者への危険度の程度に基づく周期にして、前記刺激波形を生成する
請求項１から請求項３のいずれか一項に記載の情報伝達装置。
【請求項５】
前記波形生成部は、
前記刺激波形の強度を、前記情報取得部が取得する前記情報が示す装着者への危険度の程度に基づく強度にして、前記刺激波形を生成する
請求項１から請求項４のいずれか一項に記載の情報伝達装置。
【請求項６】
装着者の生体情報を取得する生体情報取得部
をさらに備え、
前記情報取得部は、前記生体情報取得部が取得する前記生体情報を、前記情報として取得する
請求項１から請求項５のいずれか一項に記載の情報伝達装置。
【請求項７】
前記生体情報とは、装着者の拍動を示す拍動情報であって、
前記波形生成部は、
前記生体情報取得部が取得する前記拍動情報が示す装着者の拍動周期に応じた周期の前記刺激波形を生成する
請求項６に記載の情報伝達装置。
【請求項８】
前記情報取得部は、他の装置が出力する装着者の周囲の状況を示す周囲状況情報を、前記情報として取得する
請求項１から請求項７のいずれか一項に記載の情報伝達装置。
【請求項９】
装着者の皮膚のインピーダンスを測定するインピーダンス測定部
をさらに備え、
前記波形生成部は、
前記刺激波形の強度を、前記インピーダンス測定部が測定する前記インピーダンスに応じた強度にして、前記刺激波形を生成する
請求項１から請求項８のいずれか一項に記載の情報伝達装置。
【請求項１０】
コンピュータに、
伝達対象の情報を取得する情報取得ステップと、
前記情報取得ステップにおいて前記情報が取得されることに応じて、生体の生理現象に応じた所定の周期パターンの刺激波形を生成する波形生成ステップと、
前記波形生成ステップにおいて生成される前記刺激波形に基づく刺激電流を装着者の皮膚に与える刺激電極から出力させる刺激電流出力ステップと、
を実行させるためのプログラム。
【発明の詳細な説明】
【技術分野】
【０００１】
本発明は、情報伝達装置及びプログラムに関する。
【背景技術】
【０００２】
従来、伝達対象の情報の内容に応じた特定のパターンの電気刺激を皮膚に与えることにより、情報を伝達する装置が開示されている（例えば、特許文献１）。
【先行技術文献】
【特許文献】
【０００３】
【特許文献１】特開２００５−９１６２２号公報
【発明の概要】
【発明が解決しようとする課題】
【０００４】
しかしながら、上述した特許文献１に記載されるような従来技術によると、電気刺激のパターンと伝達対象の情報との対応関係を理解するためには相当の訓練が必要であり、また、与えられた電気刺激から情報の内容を読み取るために電気刺激に対して意識を集中させる必要があるといった課題があった。すなわち、従来技術には、伝達対象の情報を視覚や聴覚によらずに伝達する場合に、情報を直感的に伝達することができないという課題があった。
【課題を解決するための手段】
【０００５】
本発明の一態様は、伝達対象の情報を取得する情報取得部と、前記情報取得部が前記情報を取得することに応じて、生体の生理現象に応じた所定の周期パターンの刺激波形を生成する波形生成部と、前記波形生成部が生成する前記刺激波形に基づく刺激電流を装着者の皮膚に与える刺激電極とを備える情報伝達装置である。
【０００６】
また、本発明の一態様は、上述の情報伝達装置において、前記刺激波形とは、拍動に応じた波形である。
【０００７】
また、本発明の一態様は、上述の情報伝達装置において、前記刺激波形とは、加速度脈波波形に応じた波形である。
【０００８】
また、本発明の一態様は、上述の情報伝達装置において、前記波形生成部は、前記刺激波形の周期を、前記情報取得部が取得する前記情報が示す装着者への危険度の程度に基づく周期にして、前記刺激波形を生成する。
【０００９】
また、本発明の一態様は、上述の情報伝達装置において、前記波形生成部は、前記刺激波形の強度を、前記情報取得部が取得する前記情報が示す装着者への危険度の程度に基づく強度にして、前記刺激波形を生成する。
【００１０】
また、本発明の一態様は、上述の情報伝達装置において、装着者の生体情報を取得する生体情報取得部をさらに備え、前記情報取得部は、前記生体情報取得部が取得する前記生体情報を、前記情報として取得する。
【００１１】
また、本発明の一態様は、上述の情報伝達装置において、前記生体情報とは、装着者の拍動を示す拍動情報であって、前記波形生成部は、前記生体情報取得部が取得する前記拍動情報が示す装着者の拍動周期に応じた周期の前記刺激波形を生成する。
【００１２】
また、本発明の一態様は、上述の情報伝達装置において、前記情報取得部は、他の装置が出力する装着者の周囲の状況を示す周囲状況情報を、前記情報として取得する。
【００１３】
また、本発明の一態様は、上述の情報伝達装置において、装着者の皮膚のインピーダンスを測定するインピーダンス測定部をさらに備え、前記波形生成部は、前記刺激波形の強度を、前記インピーダンス測定部が測定する前記インピーダンスに応じた強度にして、前記刺激波形を生成する。
【００１４】
本発明の一態様は、コンピュータに、伝達対象の情報を取得する情報取得ステップと、前記情報取得ステップにおいて前記情報が取得されることに応じて、生体の生理現象に応じた所定の周期パターンの刺激波形を生成する波形生成ステップと、前記波形生成ステップにおいて生成される前記刺激波形に基づく刺激電流を装着者の皮膚に与える刺激電極から出力させる刺激電流出力ステップとを実行させるためのプログラムである。
【発明の効果】
【００１５】
本発明によれば、伝達対象の情報を視覚や聴覚によらずに伝達することと、情報を直感的に伝達することとを両立させることができる情報伝達装置及びプログラムを提供することができる。
【図面の簡単な説明】
【００１６】
【図１】第１の実施形態に係る情報伝達装置の外観構成の一例を示す図である。
【図２】本実施形態に係る刺激電極の外観構成の一例を示す図である。
【図３】本実施形態に係る情報伝達装置の機能構成の一例を示す図である。
【図４】本実施形態に係る記憶部に記憶される刺激パターンの一例を示す図である。
【図５】本実施形態に係る情報伝達装置の動作の一例を示す図である。
【図６】本実施形態に係る波形生成部が生成する刺激波形の一例を示す図である。
【図７】加速度脈波波形の一例を示す図である。
【図８】第２の実施形態に係る情報伝達装置の機能構成の一例を示す図である。
【図９】第３の実施形態に係る情報伝達装置の機能構成の一例を示す図である。
【発明を実施するための形態】
【００１７】
［第１の実施形態］
以下、本発明に係る一実施形態について図面を参照して説明する。
図１は、本実施形態に係る情報伝達装置１の外観構成の一例を示す図である。
【００１８】
図１に示すように、情報伝達装置１は、一例として、手首に巻き付けられる腕時計型の装置として構成される。情報伝達装置１は、表示部ＤＰと、操作部ＴＰと、環境センサＳＳと、生体センサＭＳと、バンドＷＢと、刺激電極Ｅと、制御部１０とを備える。
なお、図示した形状は一例であって、情報伝達装置１は他の形状に構成されてもよい。
【００１９】
表示部ＤＰは、液晶ディスプレイなどを備えており文字や画像などの情報を表示する。
操作部ＴＰは、タッチパネルなどを備えており、装着者Ｕによる操作を検出する。
環境センサＳＳは、情報伝達装置１の周囲環境の状況を検出する。検出対象の周囲環境には、例えば、気温、湿度、日射量、降水量、照度などが含まれる。環境センサＳＳは、検出した結果を周囲状況情報ＳＲとして制御部１０に出力する。
生体センサＭＳは、装着者Ｕの生体情報を検出する。検出対象の生体情報には、例えば、体温（例えば、皮膚温、深部体温）、血圧、発汗量、心拍数、脈波、脳波、筋電位などが含まれる。生体センサＭＳは、検出した結果を生体情報ＢＭとして制御部１０に出力する。
バンドＷＢは、装着者Ｕの手首に巻回されて装着者Ｕの手首に刺激電極Ｅを接触させる。
【００２０】
図２は、本実施形態に係る刺激電極Ｅの外観構成の一例を示す図である。刺激電極Ｅは、正電極Ｅ１と、負電極Ｅ２とを備えている。刺激電極Ｅは、これら正電極Ｅ１と負電極Ｅ２とを刺激電極対として、刺激電流ＳＣを情報伝達装置１の装着者Ｕの皮膚に与える。
なお、情報伝達装置１は、図１に示すように複数の刺激電極Ｅを備えていてもよい。
【００２１】
図３は、本実施形態に係る情報伝達装置１の機能構成の一例を示す図である。情報伝達装置１は、上述した制御部１０及び刺激電極Ｅに加えて、記憶部ＭＲを備える。情報伝達装置１には、情報供給装置２０から伝達対象情報Ｄが供給される。この情報供給装置２０とは、例えば、気象情報サービス会社のサーバ装置である。情報供給装置２０は、各種の気象情報を伝達対象情報Ｄとして供給する。この一例において、伝達対象情報Ｄには、情報伝達装置１の所在地の気温、湿度、日射量、降水量などが含まれる。なお、これら伝達対象情報Ｄが示す各値は、現在又は過去の実測値であってもよく、将来の予測値であってもよい。
この一例において、情報供給装置２０は、情報伝達装置１の所在地の気象状況が、情報伝達装置１の装着者Ｕにとって危険な状況であると判定された場合（例えば、装着者Ｕが熱中症を発症する程度の異常高温多湿である場合）に、伝達対象情報Ｄを出力する。
なお、情報供給装置２０は、地震、台風、津波、洪水、噴火などの災害情報を供給する装置であってもよい。例えば、レスキュー隊などの救助部隊の隊員が情報伝達装置１を装着している場合において、情報伝達装置１は、隊員に災害現場周囲の危険の程度（例えば、ガス濃度、酸素濃度などによる二次災害の危険性）を、伝達対象情報Ｄとして伝達する。
【００２２】
なお、情報供給装置２０は、装着者Ｕの危険度の程度を示す情報を、伝達対象情報Ｄに含めて供給してもよい。例えば、情報供給装置２０は、装着者Ｕの危険度ＬＶを、危険度ＬＶ０（ゼロ）〜危険度ＬＶ５の６段階にして示した伝達対象情報Ｄを出力する。
この場合、情報供給装置２０は、危険度ＬＶが危険度ＬＶ０である場合において、伝達対象情報Ｄを出力しないように構成されてもよく、危険度ＬＶ０を示す伝達対象情報Ｄを出力するように構成されてもよい。以下に示す一例では、危険度ＬＶが危険度ＬＶ０である場合において、情報供給装置２０が、危険度ＬＶ０を示す伝達対象情報Ｄを出力するように構成されているとして説明する。
【００２３】
制御部１０は、情報取得部１１０と、波形生成部１２０とを備える。
情報取得部１１０は、伝達対象情報Ｄを取得する。
【００２４】
この一例において、情報取得部１１０は、情報供給装置２０が出力する伝達対象情報Ｄを取得する。すなわち、情報取得部１１０は、他の装置である情報供給装置２０が出力する装着者Ｕの周囲の状況を示す周囲状況情報ＳＲを、伝達対象情報Ｄとして取得する。
【００２５】
波形生成部１２０は、情報取得部１１０が伝達対象情報Ｄを取得することに応じて、生体の生理現象に応じた所定の周期パターンの刺激波形ＳＷを生成する。例えば、生体の生理現象に応じた所定の周期パターンには、拍動の周期パターンなどがある。この一例において、波形生成部１２０は、記憶部ＭＲに記憶されている刺激パターンＰに基づいて、刺激波形ＳＷを生成する。
【００２６】
図４は、本実施形態の記憶部ＭＲに記憶される刺激パターンＰの一例を示す図である。記憶部ＭＲには、刺激のレベルと、刺激周期ＳＰと、刺激強度ＳＩとが互いに対応付けられて刺激パターンＰとして記憶されている。刺激のレベルとは、上述した危険度ＬＶに対応する刺激の段階である。例えば、刺激のレベル「１」は、危険度ＬＶ１に対応する。
【００２７】
図３に戻り、波形生成部１２０は情報取得部１１０が取得した伝達対象情報Ｄの危険度ＬＶに応じた刺激パターンＰを記憶部ＭＲから取得する。波形生成部１２０は、取得した刺激パターンＰに基づいて刺激波形ＳＷを生成する。波形生成部１２０は、生成した刺激波形ＳＷを刺激電極Ｅに対して出力する。
【００２８】
刺激電極Ｅは、波形生成部１２０が生成する刺激波形ＳＷに基づく刺激電流ＳＣを装着者Ｕの皮膚に与える。
【００２９】
［情報伝達装置１の動作］
次に、図５を参照して本実施形態の情報伝達装置１の動作の一例について説明する。
図５は、本実施形態の情報伝達装置１の動作の一例を示す図である。
【００３０】
（ステップＳ１０）情報取得部１１０は、伝達対象情報Ｄを取得する。上述したようにこの伝達対象情報Ｄには、危険度ＬＶを示す情報が含まれている。情報取得部１１０は、取得した伝達対象情報Ｄを波形生成部１２０に出力する。
（ステップＳ２０）波形生成部１２０は、伝達対象情報Ｄに含まれる危険度ＬＶを判定する。波形生成部１２０は、伝達対象情報Ｄに含まれる危険度ＬＶが、危険度ＬＶ０であると判定した場合（ステップＳ２０；危険度ＬＶ０）には、処理をステップＳ３０に進める。波形生成部１２０は、伝達対象情報Ｄに含まれる危険度ＬＶが、危険度ＬＶ１〜５であると判定した場合（ステップＳ２０；危険度ＬＶ１〜５）には、処理をステップＳ４０に進める。
【００３１】
（ステップＳ３０）波形生成部１２０は、刺激波形ＳＷを刺激電極Ｅに対して出力せずに、処理を終了する。これにより、刺激電極Ｅからは刺激電流ＳＣが出力されない。
【００３２】
（ステップＳ４０）波形生成部１２０は、危険度ＬＶに応じた刺激波形ＳＷを生成する。具体例として、ステップＳ１０において取得された伝達対象情報Ｄに含まれる危険度ＬＶが危険度ＬＶ１である場合、波形生成部１２０は、刺激周期ＳＰが「１ｓｅｃ」、刺激強度ＳＩが「１．２ｍＡ」である刺激波形ＳＷを生成する。また、危険度ＬＶが危険度ＬＶ５である場合、波形生成部１２０は、刺激周期ＳＰが「１００ｍｓｅｃ」、刺激強度ＳＩが「２．４ｍＡ」である刺激波形ＳＷを生成する。つまり、波形生成部１２０は、伝達対象情報Ｄに含まれる危険度ＬＶの程度が低い場合には、低刺激の刺激波形ＳＷを生成し、伝達対象情報Ｄに含まれる危険度ＬＶの程度が高い場合には、高刺激の刺激波形ＳＷを生成する。
【００３３】
すなわち、波形生成部１２０は、刺激波形ＳＷの周期を、情報取得部１１０が取得する伝達対象情報Ｄが示す装着者Ｕへの危険度ＬＶに基づく刺激周期ＳＰにして、刺激波形ＳＷを生成する。換言すれば、波形生成部１２０は、危険度ＬＶに基づいて刺激周期ＳＰを変更する。
また、波形生成部１２０は、刺激波形ＳＷの強度を、情報取得部１１０が取得する伝達対象情報Ｄが示す装着者Ｕへの危険度ＬＶに基づく刺激強度ＳＩにして、刺激波形ＳＷを生成する。換言すれば、波形生成部１２０は、危険度ＬＶに基づいて刺激強度ＳＩを変更する。
【００３４】
なお、この一例では、波形生成部１２０は、刺激波形ＳＷの周期及び強度を、いずれも危険度ＬＶに基づいて設定しているが、これに限られない。波形生成部１２０は、刺激波形ＳＷの周期及び強度のいずれか一方のみを危険度ＬＶに基づいて設定してもよい。また、波形生成部１２０は、危険度ＬＶが危険度ＬＶ１以上の場合（この一例において、危険度ＬＶ１〜危険度ＬＶ５の場合）には、刺激周期ＳＰ及び刺激強度ＳＩをいずれも危険度ＬＶによらず一定にして（つまり、危険度ＬＶに応じた変化をさせずに）刺激波形ＳＷを生成してもよい。
【００３５】
ここで、図６を参照して波形生成部１２０が生成する刺激波形ＳＷの一例について説明する。
図６は、本実施形態の波形生成部１２０が生成する刺激波形ＳＷの一例を示す図である。波形生成部１２０は、時間軸で隣り合う刺激波形ＳＷどうし（例えば、刺激波形ＳＷ１と刺激波形ＳＷ２）の時間間隔を所定の周期（刺激周期ＳＰ）にして、刺激波形ＳＷを生成する。この一例において、波形生成部１２０は、矩形パルスによって段階的に強度を変化させて刺激波形ＳＷを生成する。
なお、上述した刺激強度ＳＩは、刺激波形ＳＷを構成する矩形パルスの強度の最大値を示す値であるとして説明するがこれに限られない。例えば、刺激強度ＳＩは、刺激波形ＳＷを構成する矩形パルスの強度を時間積分した面積を示す値であってもよい。
【００３６】
この波形生成部１２０が生成する刺激波形ＳＷの強度の時間変化（つまり、刺激波形ＳＷの包絡線）は、加速度脈波波形ＡＰＷに基づいて定められている。加速度脈波波形ＡＰＷについて、図７を参照して説明する。
【００３７】
図７は、加速度脈波波形ＡＰＷの一例を示す図である。ここで、加速度脈波波形ＡＰＷとは、容積脈波の波形を時間軸に２階微分して得られる波形である。容積脈波の波形は、例えば、光電式脈波計によって得られる。
刺激波形ＳＷは、同図に示す加速度脈波波形ＡＰＷのうち、加速度脈波波形ＡＰＷ１に相当する部分の波形に基づいて定められている。つまり、刺激波形ＳＷとは、加速度脈波波形ＡＰＷに応じた波形である。なお、図7では一例としてＡＰＷ１に相当する部分の波形に基づいて刺激波形ＳＷを定めたが、加速度脈波波形ＡＰＷの複数のピーク値を含む波形に基づいて詳細に刺激波形ＳＷを定めてもよい。
【００３８】
（ステップＳ５０）図５に戻り、波形生成部１２０は、ステップＳ４０において生成した刺激波形ＳＷを、危険度ＬＶに応じた所定の周期によって刺激電極Ｅに出力する。この結果、刺激電極Ｅからは、危険度ＬＶに応じた周期及び強度の刺激電流ＳＣが装着者Ｕの皮膚に対して出力される。
波形生成部１２０は、例えば、所定の時間又は所定の波数、刺激波形ＳＷを繰り返し出力した後、処理を終了する。
【００３９】
［第１の実施形態のまとめ］
以上説明したように、情報伝達装置１は、生体の生理現象に応じた所定の周期パターンの刺激波形ＳＷによって、装着者Ｕの皮膚（例えば、手首）に刺激を与える。このように構成された情報伝達装置１によれば、装着者Ｕにとって危険な状態（例えば、熱中症を発症しかねない状態）を、視覚・聴覚・指先の感覚などによらずに伝達することができる。
【００４０】
ここで、生体の生理現象に応じた所定の周期パターンの刺激波形ＳＷを装着者Ｕに与える場合、生体の生理現象に応じていない他の波形による刺激を装着者Ｕに与えた場合に比べて、装着者Ｕに危険が差し迫っていることを、より直感的に装着者Ｕに対して伝達することができる。一例として、生体の生理現象に応じていない他の波形（例えば、単なるバイブレーション）による刺激よりも、生体の生理現象に応じた所定の周期パターン（例えば、心拍（拍動）に応じた周期パターン）による刺激のほうが、装着者Ｕに自身の身体が平常時から変化したこと(例えば、緊張状態になったこと)を錯覚させることができ、危険が差し迫っていることを、より直感的に装着者Ｕに対して伝達することができる。
すなわち、このように構成された情報伝達装置１によれば、装着者Ｕに危険が差し迫っていることを、視覚・聴覚・指先の感覚などによらずに、かつ、より直感的に装着者Ｕに対して伝達することができる。また、情報伝達装置１によれば、電気刺激を装着者Ｕに与えるため、例えば、機械的な刺激を与える場合に比べて装置の構成を簡素化でき、かつ強度が比較的高い刺激を容易に与えることができる。
したがって、情報伝達装置１によれば、例えば、ジョギング中などの視覚や聴覚などの感覚に訴えにくい状況においても、装着者Ｕに対して、より直感的に伝達することができる。また、視覚・聴覚・指先の感覚などは普段の生活において極めて重要な情報源となる感覚であるところ、情報伝達装置１によれば、これら重要な感覚を阻害することなく、装着者Ｕに対して情報を伝達することができる。
【００４１】
また、本実施形態の情報伝達装置１は、拍動に応じた波形の刺激波形ＳＷによって、装着者Ｕに刺激を与える。拍動に応じた波形を刺激波形ＳＷとして装着者Ｕに与えることにより、装着者Ｕには、与えられた刺激が装着者Ｕ自身の拍動として認識される。このように構成された情報伝達装置１によれば、危険が差し迫っていることを装着者Ｕに対してより直感的に伝達することができる。
【００４２】
また、本実施形態の情報伝達装置１は、加速度脈波波形ＡＰＷに応じた波形の刺激波形ＳＷによって、装着者Ｕに刺激を与える。ここで、加速度脈波波形ＡＰＷは、例えば人の平均的な心拍に基づく波形である。加速度脈波波形ＡＰＷに応じた波形を刺激波形ＳＷとして装着者Ｕに与えることにより、装着者Ｕには、自身の拍動が通常時から変化したと認識される。このように構成された情報伝達装置１によれば、生命維持の最重要器官である心臓の活動が変化したことを錯覚させることから、危険が差し迫っていることを装着者Ｕに対してより直感的に伝達することができる。
また、情報伝達装置１によれば、装着者Ｕの実際の拍動が早くなる前に、自身の拍動が早くなったものと錯覚させることができるため、装着者Ｕの状態が実際に危険な状態になる前に、危険な状態になり得ることを提示することができる。
【００４３】
また、情報伝達装置１は、危険度ＬＶに基づいて刺激周期ＳＰを変更する。ここで、人間の拍動は、危険などが増して緊張が高まるほど（つまり、交感神経の活性度が高まるほど）その周期が早くなる。情報伝達装置１は、危険度ＬＶが高いほど刺激周期ＳＰを早めることにより、装着者Ｕに、刺激周期ＳＰが遅い場合に比べて、より緊張が高まった状態であると感じさせることができる。このように構成された情報伝達装置１によれば、装着者Ｕに対して危険の程度をより直感的に伝達することができる。
【００４４】
また、情報伝達装置１は、危険度ＬＶに基づいて刺激強度ＳＩを変更する。ここで、人間の拍動は、危険などが増して緊張が高まるほど（つまり、交感神経の活性度が高まるほど）その強度が強くなる。情報伝達装置１は、危険度ＬＶが高いほど刺激強度ＳＩを強めることにより、装着者Ｕには、刺激強度ＳＩが弱い場合に比べて、より緊張が高まった状態であると感じさせることができる。このように構成された情報伝達装置１によれば、装着者Ｕに対して危険の程度をより直感的に伝達することができる。
【００４５】
［変形例］
なお、上述において、情報伝達装置１は、情報供給装置２０が供給する伝達対象情報Ｄに基づいて刺激電流ＳＣを出力するとして説明したが、これに限られない。
上述したように情報伝達装置１は、環境センサＳＳを備えている。情報伝達装置１は、この環境センサＳＳが検出した結果に基づいて、刺激電流ＳＣを出力するように構成されてもよい。例えば、環境センサＳＳが気温及び湿度を検出する場合、情報伝達装置１は、この環境センサＳＳが検出した気温及び湿度が異常に高い場合（つまり、異常高温多湿である場合）には、この気温及び湿度に応じた危険度ＬＶを判定し、判定した危険度ＬＶに基づく刺激電流ＳＣを出力するように構成されてもよい。なお、環境センサＳＳが気温及び湿度を検出する場合を一例にして説明したが、これに限られない。例えば、環境センサＳＳは気温又は湿度のいずれか一方を検出するものであってもよく、この場合、情報伝達装置１は、この環境センサＳＳが検出した気温又は湿度の少なくとも一方が異常に高い場合には、この気温又は湿度に応じた危険度ＬＶを判定し、判定した危険度ＬＶに基づく刺激電流ＳＣを出力するように構成されてもよい。
【００４６】
［第２の実施形態］
次に、図８を参照して第２の実施形態の情報伝達装置１ａについて説明する。なお、上述した第１の実施形態と同一の構成及び動作については、同一の符号を付してその説明を省略する。
【００４７】
図８は、第２の実施形態の情報伝達装置１ａの機能構成の一例を示す図である。本実施形態の情報伝達装置１ａは、生体情報取得部１３０を備える点において、上述した実施形態と異なる。
【００４８】
情報伝達装置１ａは、生体情報取得部１３０を備える。
上述したように、生体センサＭＳは、装着者Ｕの生体情報を検出する。検出対象の生体情報には、例えば、体温（例えば、皮膚温、深部体温）、血圧、発汗量、心拍数、脈波、脳波、筋電位などが含まれる。生体センサＭＳは、検出した結果を生体情報ＢＭとして制御部１０ａに出力する。
生体情報取得部１３０は、この生体センサＭＳが出力する装着者Ｕの生体情報ＢＭを取得する。生体情報取得部１３０は、取得した生体情報ＢＭを情報取得部１１０ａに出力する。
情報取得部１１０ａは、生体情報取得部１３０が出力する生体情報ＢＭを、伝達対象情報Ｄとして取得し、取得した伝達対象情報Ｄ（すなわち、生体情報ＢＭ）を波形生成部１２０に出力する。
波形生成部１２０は、情報取得部１１０ａが出力する伝達対象情報Ｄ（すなわち、生体情報ＢＭ）に基づいて、上述した波形生成部１２０と同様にして刺激波形ＳＷを生成する。
このように構成された情報伝達装置１ａによれば、他の装置（例えば、情報供給装置２０）からの情報の取得ができない場合であっても、装着者Ｕに対して情報を伝達することができる。
また、この伝達対象情報Ｄは、装着者Ｕ自身から検出された生体情報であるため、伝達対象情報Ｄの内容が装着者Ｕ自身から検出されていない情報である場合に比べて、装着者Ｕ本人の状況により応じた情報を伝達することができる。
なお、生体センサＭＳおよび生体情報ＢＭは、上述した環境センサＳＳ及び周囲状況情報ＳＲと、又は情報供給装置２０と併用してもよい。
【００４９】
［変形例］
なお、生体センサＭＳには、装着者Ｕの拍動を検出する拍動センサが含まれていてもよい。すなわち、生体情報ＢＭには、装着者Ｕの拍動を示す拍動情報ＰＩが含まれる。
この場合、波形生成部１２０は、生体情報取得部１３０が取得する拍動情報ＰＩが示す装着者Ｕの拍動周期に応じた刺激周期ＳＰの刺激波形ＳＷを生成する。
このように構成された情報伝達装置１ａによれば、装着者Ｕの拍動の周期や強度に応じた刺激電流ＳＣを出力することができる。このように構成された情報伝達装置１によれば、装着者Ｕは自身の拍動が強調されたとして認識することとなり、装着者Ｕに対して危険の発生をより直感的に伝達することができる。
【００５０】
［第３の実施形態］
次に、図９を参照して第３の実施形態の情報伝達装置１ｂについて説明する。なお、上述した各実施形態と同一の構成及び動作については、同一の符号を付してその説明を省略する。
【００５１】
図９は、第３の実施形態の情報伝達装置１ｂの機能構成の一例を示す図である。本実施形態の情報伝達装置１ｂは、インピーダンスセンサＩＳと、インピーダンス測定部１４０とを備える点において、上述した実施形態と異なる。
【００５２】
インピーダンスセンサＩＳは、装着者Ｕの皮膚のインピーダンスを検出する。ここで、装着者Ｕの皮膚は、装着者Ｕの発汗量などに応じて変化する。例えば、装着者Ｕの発汗量が比較的多い場合には、皮膚の導電率が高まるため、皮膚のインピーダンスが低下する。インピーダンスセンサＩＳは、例えば、皮膚の導電率ＣＤを検出し、検出した導電率ＣＤをインピーダンス測定部１４０に出力する。
インピーダンス測定部１４０は、インピーダンスセンサＩＳが出力する検出結果（例えば、導電率ＣＤ）に基づいて、装着者Ｕの皮膚のインピーダンスを算出する。インピーダンス測定部１４０は、算出したインピーダンスをインピーダンス測定結果ＩＰとして波形生成部１２０ｂに出力する。
波形生成部１２０ｂは、インピーダンス測定結果ＩＰが示す装着者Ｕの皮膚のインピーダンスに基づいて、刺激強度ＳＩを変更する。すなわち、波形生成部１２０ｂは、刺激波形ＳＷの刺激強度ＳＩを、インピーダンス測定部１４０が測定するインピーダンス測定結果ＩＰに応じた刺激強度ＳＩにして、刺激波形ＳＷを生成する。
【００５３】
このように構成された情報伝達装置１ｂによれば、装着者Ｕの皮膚の状態（例えば、発汗量）に応じた刺激強度ＳＩの刺激電流ＳＣを出力することができる。ここで、装着者Ｕの発汗量が比較的多く、皮膚の導電率が上昇している状態であると、刺激電極Ｅから出力される刺激電流ＳＣの刺激が、発汗量が少ない場合に比べて強く感じられることがある。本実施形態の情報伝達装置１ｂによれば、装着者Ｕの皮膚の状態によらず安定した強度の刺激を装着者Ｕに与えることができる。
【００５４】
以上、本発明の実施形態を、図面を参照して詳述してきたが、具体的な構成はこの実施形態に限られるものではなく、本発明の趣旨を逸脱しない範囲で適宜変更を加えることができる。また、本発明の趣旨を逸脱しない範囲で上述の各実施形態に記載の構成及び動作を任意に組み合わせることができる。
【００５５】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５６】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００５７】
１、１ａ、１ｂ…情報伝達装置、１０、１０ａ、１０ｂ…制御部、１１０、１１０ａ…情報取得部、１２０、１２０ｂ…波形生成部、１３０…生体情報取得部、１４０…インピーダンス測定部、２０…情報供給装置、ＤＰ…表示部、ＴＰ…操作部、ＷＢ…バンド、ＳＳ…環境センサ、ＭＳ…生体センサ、ＩＳ…インピーダンスセンサ、Ｐ…刺激パターン、Ｄ…伝達対象情報、ＡＰＷ…加速度脈波波形、ＳＣ…刺激電流、ＬＶ…危険度、ＳＩ…刺激強度、ＳＰ…刺激周期、ＢＭ…生体情報
【図１】
2020067693.tif 000003
【図２】
2020067693.tif 000004
【図３】
2020067693.tif 000005
【図４】
2020067693.tif 000006
【図５】
2020067693.tif 000007
【図６】
2020067693.tif 000008
【図７】
2020067693.tif 000009
【図８】
2020067693.tif 000010
【図９】
2020067693.tif 000011